(57)【特許請求の範囲】
【請求項１】
パイプ状の支柱本体と、この支柱本体の片方先端に形成された地面挿し込み部とを有し、この挿し込み部は、支柱の孔径よりも細い断面円形の突起部の根元に支柱連結用の雄ネジが形成されたものであり、この突起部には先端に向って、複数本の半環状の突起が位相を１８０度異にして交互に形成されている、ことを特徴とする連結可能な園芸用支柱。
【請求項２】
支柱本体の中央長さ方向に、横棒を組み合わせるための止め具孔を等間隔に設けたことを特徴とする請求項１記載の園芸用支柱。
【請求項３】
前記止め具孔には、通しパイプが嵌められていることを特徴とする請求項２記載の園芸用支柱。
【請求項４】
前記パイプ状の支柱本体の後方には、支柱連結挿入孔として雌ネジ穴が形成されていることを特徴とする請求項１、２、又は３記載の園芸用支柱。
【請求項５】
上記支柱本体後方の支柱連結挿入孔には、着脱が容易に可能な雨防止蓋を取り付けることができることを特徴とする請求項４記載の園芸用支柱。
【請求項６】
支柱本体のパイプは、円形状、四角形状、又は六角形状であることを特徴とする請求項１，２，３，４又は５記載の園芸用支柱。
【請求項７】
前記止め具孔、又は通しパイプに差し込まれる差し込み部と、この差し込み部の外側に形成された横棒を載せるための支え部とを一体的に備えた支えピンを有していることを特徴とする、請求項２又は３記載の園芸用支柱。
【発明の詳細な説明】
【技術分野】
【０００１】
本発明は、花壇や菜園において、地面に立てて使用する地面挿し込み用の支柱を目的とし、且つ、園芸作業を容易に可能とする支柱に関する。
【背景技術】
【０００２】
従来の園芸用支柱には、青竹風に節が形成され、先端の外周に円錐形の突起が形成されているものが用いられている。
【０００３】
あるいは、支柱表面全体に凸状のイボ模様が形成され、先端に短い円錐形の突起が形成されている支柱も使用されている。
【０００４】
更に、支柱本体と地面挿し込み部は一体的に形成されているが、連結され分離できるように構成されたものもある（例えば、特許文献１参照）。
【０００５】
尚、支柱の長さも様々で２７０ｃｍの長尺のものもあり、現在は主流として青竹風支柱と凸状のイボ模様の支柱が多く市販されている。
【先行技術文献】
【特許文献】
【０００６】
【特許文献１】特開２０１０ー２２３５４号公報
【発明の概要】
【発明が解決しようとする課題】
【０００７】
上述の青竹風の支柱は、支柱先端の外周に円錐形の突起が形成されているために、地面に挿し込むと穴が大きくなり、ぐらつき倒れやすく不安定である。また、固い地面においてはシャベル等の用具を使い穴を掘って埋め込みかためる等の手間や作業が必要である。
【０００８】
又、表面に凸状のイボ模様が形成された支柱は、先端の突起が短いために、固い地面には深く挿し込むことは困難である。  
【０００９】
尚、前記（特開２０１０ー２２３５４公報）の支柱においては、固い地面にも対応が可能な地面挿し込み部が杭として円錐形の側面上部にハンマーで打ち込むための突起物を有し、挿し込み部と支柱本体をオネジとメネジで連結して植物の補助を目的にしたもので、根株や枝葉の張った植物には作業が容易ではない。
【００１０】
又、長尺の支柱を購入して持ち帰るには、小型の車輌では運べず、且つ、保管にも不便である。  
【課題を解決するための手段】
【００１１】
そして、本発明は固い地面にも挿し込みを可能とするために単一のパイプ状の支柱本体片方に支柱の孔径より細い断面円形の突起部を設け、根元には支柱結用のオネジを形成し、この断面円形の突起部の先端に向って外周１８０度の両面に複数本の半環状の突起を交互に形成し、突起部の先端には円錐形、あるいは角形の突起が形成された地面挿し込み部を有する。
【００１２】
又、つる性の植物（例えば、朝顔、ゴーヤ、キュウリ等）の柵作りの横棒（既存の支柱）を組み合わせる作業を容易にするために、支柱の中央長さ方向に園芸用ビ二タイ等の止め具孔を等間隔に設ける。尚、この止め具孔には円形の通しパイプが嵌められている。
【００１３】
尚、パイプ状の支柱本体の後方は、同一の支柱の挿し込み部であり、連結する支柱を挿し込むための挿入孔としてメネジが形成されている。
【００１４】
又、連結挿入孔には着脱が容易な雨防止蓋が設けられている。
【００１５】
更に、柵作りの横棒組み合わせの止め具孔に差し込む支えピンが設けられている。
【００１６】
上記のように、単一のパイプ状の支柱本体に、地面挿し込み部と柵作りのための横棒組み合わせの止め具孔や支柱連結用の挿入孔が設けられ、雨防止蓋や止め具孔に差し込む支えピン等、園芸作業を容易にする機能を有することを特徴とする連結可能な園芸用支柱である。
【発明の効果】
【００１７】
支柱本体片方に設けた上記手段としての地面挿し込み部は、外周に形成された１８０度の両面の半環状の突起が螺旋の機能を持ち、地面に支柱をまわし乍らの作業で、用具も必要が無く、倒れにくく安定して支柱を立てることが出来る。
【００１８】
又、支柱の中央長さ方向の止め具孔には、園芸用のビ二タイ等の止め具を使うことにより、太さの異なる支柱の組み合わせも可能であり、しかも、止め具孔が多く形成されているために、横棒の組み合わせの高さも自由に、又、補助の止めにも便利である。且つ、止め具孔に通しパイプが嵌まっていれば、曲がった止め具のビ二タイ等も容易に通すことが出来る。
【００１９】
支柱本体の後方に設けた挿入孔には、雨防止蓋を取り外し同一支柱の挿し込み部の根元のオネジと挿入孔のメネジで安定して支柱の連結が出来る。又、この連結により同じ太さの長尺支柱となる。
【００２０】
尚、支えピンは柵作りの横棒組み合わせのとき、止め具孔に差し込むことにより横棒の支え部となり安定して作業が可能となる。
【００２１】
上述のように、園芸作業に必要な機能を単一単独の支柱に設ければ、製造コストの削減、販売ロスの削減、且つ、運搬や倉庫の整理、及び、家庭の物置での整理や保管にも有効である。
【００２２】
本発明は、上記のような効果を持ち合わせていることを特徴とする連結可能な園芸用支柱である。
【図面の簡単な説明】
【００２３】
【図１】本発明に依る支柱の正面図である。
【図２】本発明に依る支柱の側面図である。
【図３】本発明に依る支柱の斜視図と雨防止蓋である。
【図４】図３の雨防止蓋の参考図である。
【図５】本発明に依る支柱連結の断面図である。
【図６】本発明に依る支柱連結の変更例の側面断面図である。
【図７】本発明に依る支えピンである。
【図８】本発明に依る支えピンの実施例（１）、及び（２）の図である。
【図９】本発明に依る実施の施行図である。
【図１０】本発明に依る支柱２本での組み合わせ実施例を示す図である。
【図１１】支柱パイプの応用例の図である。
【発明を実施するための形態】
【００２４】
以下、本発明の実施の形態を図１〜図１１に基づいて説明する。
【００２５】
図１において、１はパイプ状の支柱本体で、本発明では円形の塩化ビニールのパイプを対象にしているが、既存の支柱、あるいは、四角形、六角形のパイプでも可能である。
【００２６】
又、支柱１の長さは、小型の車輌にも積載が可能な７０ｃｍ〜９０ｃｍとし、支柱１の太さは地面にしっかり立てられるように、外径２ｃｍ〜３ｃｍとする。尚、地中に埋まる深さは地面挿し込み部２とプラス支柱１の下部１０ｃｍ位とし、従って支柱１の実質の長さは６０ｃｍ〜８０ｃｍになる。
【００２７】
図１において、２は支柱１の片方に設けた地面押し込み部で長さを６ｃｍ〜９ｃｍとし、支柱１の孔径よりも細い断面円形の突起部の根元には、支柱連結のオネジＡが形成され、突起部の先端に向って半環状の突起Ｂが１ｃｍ間隔で３本〜５本形成され、先端には円錐形、あるいは、角錐形の突起Cが形成されている。
【００２８】
又、支柱１が塩化ビニールのようにパイプが肉厚の場合には、支柱１の下部円周をＦのように０,２ｃｍ位削除すると支柱の地面挿し込みが容易になる。
【００２９】
図１において、３は支柱１の中央長さ方向に、支柱１の下部から１０ｃｍ〜１５ｃｍ隔横棒組み合わせの止め具孔で直径０,５ｃｍ位とする。
【００３０】
図２において、地面挿し込み部２の外周１８０度の両面に半環状の突起Ｂが形成されていることを示す側面図である。
【００３１】
図３の斜視図において、４は支柱１の後方に設けた支柱連結用の挿入孔としてメネジＥが形成され、この挿入孔４には雨防止蓋５が取り付けられている。
【００３２】
図４は、着脱が容易な雨防止蓋５の参考図ａ、ｂ及びｃである。
【００３３】
図５において、支柱本体１の後方に設けた挿入孔４に形成されたメネジＥと、同一柱の挿し込み部２のオネジＡで連結された断面図である。
【００３４】
図６は、前記図５の支柱連結の変更例の側面断面図であり、止め具孔３には通しパイプＤが嵌っている。
【００３５】
図７は、柵作りの横棒組み合わせ作業を安定して容易に可能とするための支えピン６で、差し込み部Ｇの長さは３,５ｃｍ位とし、支え部Ｈは巾２ｃｍ、長さは３ｃｍ位とする。
【００３６】
図８の実施例（１）は、支柱１の止め具孔３に支えピン６の差し込み部Ｇとその上に止め具のビ二タイ等を差し込み、支え部Ｈを有しているために横棒を安定して組み合わせることが出来る。
【００３７】
又、図８の実施例（２）は、支えピン６を支柱１の下部の止め具孔３に差し込むことにより支柱の地中に埋まる深さの目安となり、柵作りの支柱１の高さを揃えることが出来る。
【００３８】
図９は、柵作りの朝顔の実施の施行図であり葉が繁り、花が咲けば目にも楽しい日除けになる。
【００３９】
図１０は、支柱１の２本組み合わせの実施例で（例えば、つる性の豆、ミニトマト等）の地面に斜め挿しの使用において、各々に必要な高さの支柱１の止め具孔３を２本組み合わせ、止め具のビ二タイで止める。あるいは、ボルト,ナットＩで止めれば扇の要のように広げて容易に挿し込むことが可能となる。
【００４０】
図１１は、支柱パイプの応用例である。
【産業上の利用可能性】
【００４１】
本発明は、家庭菜園において有効に活用することが出来る。
【符号の説明】
【００４２】
１  支柱本体
２  地面挿し込み部
３  止め具孔  
４  支柱連結挿入孔
５  雨防止蓋
６  支えピン
Ａ  支柱連結用オネジ
Ｂ  半環状の突起
Ｃ  円錐形、あるいは角錐権の突起
Ｄ  通しパイプ
Ｅ  支柱連結用メネジ
Ｆ  支柱下部の円周削除部
Ｇ  支えピンの差し込み部
Ｈ  支えピンの支え部
Ｉ  ボルト,ナット
【要約】      （修正有）【課題】花壇や菜園において、柵作りや植物の補助に支柱を立てるとき、固い地面においても用具を使っての作業が不要であり、又、柵作りでは支柱と横棒を組み合わせるのに安定で作業が容易であり、且つ、運搬や保管も容易な園芸用支柱を提供する。【解決手段】パイプ状の支柱本体１の片方の先端に支柱１の孔径よりも細い断面円形の突起を有し、この突起部の根元には支柱連結用のオネジＡが形成され、外周に半環状の突起Ｂが設けられ、先端に突起Ｃが形成されている。このように形成された地面挿し込み部２が設けられている。又、支柱１の中央長さ方向に止め具孔３を等間隔に形成し、尚、支柱本体１の後方は支柱連結用の挿入孔４としてメネジが形成されている。又、この挿入孔４には雨防止蓋５が設けられた連結可能な園芸用支柱とする。【選択図】図１【図１】
0005715293.tif 000002
【図２】
0005715293.tif 000003
【図３】
0005715293.tif 000004
【図４】
0005715293.tif 000005
【図５】
0005715293.tif 000006
【図６】
0005715293.tif 000007
【図７】
0005715293.tif 000008
【図８】
0005715293.tif 000009
【図９】
0005715293.tif 000010
【図１０】
0005715293.tif 000011
【図１１】
0005715293.tif 000012